(57)【要約】容器（１０２）と、容器にヒンジにより連結された蓋（１０４）とを備える容器システム（１００）であって、蓋は、第１の部分（４００）と第２の部分（５００）とを備え、第１の部分は、第２の部分に非一体的に接続され、第１の部分を第１の位置から第２の位置に移動させることにより、蓋を閉鎖位置から開放位置へ移動させることが可能である、容器システムが開示される。
2019534215.tif 000002
【特許請求の範囲】
【請求項１】
容器システムであって、
貯蔵容量部へのアクセスをもたらす開口部を有する容器と、
前記容器にヒンジにより連結された蓋であって、
前記蓋が前記開口部を被覆する閉鎖位置と、前記蓋が前記開口部を被覆しない開放位置とを有し、
第１の部分と第２の部分とを有し、
前記第１の部分は前記第２の部分に非一体的に連結され、前記第１の部分を第１の位置から第２の位置に移動させることにより、前記蓋を前記閉鎖位置から前記開放位置へ移動させることが可能である、蓋と、を備える、容器システム。
【請求項２】
前記容器は、本体と、前記本体に連結可能であるフレームとを備え、好ましくは、前記蓋は前記フレームにヒンジにより連結される、請求項１に記載の容器システム。
【請求項３】
前記第２の部分は、外向きの外表面と、該外表面の反対側の内表面とを有する上壁を含み、前記第１の部分は前記第２の部分の前記内表面に面する、請求項１又は２に記載の容器システム。
【請求項４】
前記第１の部分は、前記第２の部分よりも小さい周辺部を有する、請求項１〜３のいずれか一項に記載の容器システム。
【請求項５】
前記第１の部分は、プッシュパッド、好ましくは２つのプッシュパッドを備える、請求項１〜４のいずれか一項に記載の容器システム。
【請求項６】
前記プッシュパッドは、押圧されると、中心軸に向かって径方向内向きに移動可能である、請求項５に記載の容器システム。
【請求項７】
前記第２の部分は、少なくとも１つのプッシュパッドがそれを通じてアクセス可能となる少なくとも１つのアパーチャを備える、請求項１〜６のいずれか一項に記載の容器システム。
【請求項８】
第１の部分は、前記第２の部分に対して回転可能である、請求項１〜７のいずれか一項に記載の容器システム。
【請求項９】
前記第２の部分は、前記プッシュパッドが押圧されるまで前記第１の部分の回転を防止する突出部を含む、請求項８に記載の容器システム。
【請求項１０】
前記第１の部分、前記第２の部分、又は両方が、前記第２の位置への移動後に前記第１の部分を前記第１の位置に復帰させる付勢構造体を備え、好ましくは、前記第１の部分は前記付勢構造体を備える、請求項１〜９のいずれか一項に記載の容器システム。
【請求項１１】
前記蓋は第１の係合部材を備え、前記容器は、前記蓋が前記閉鎖位置にあるときに前記第１の係合部材と係止可能に係合する第２の係合部材を備え、前記第１の部分を前記第１の位置から前記第２の位置に移動させることは、前記係合部材を係合解除させることになり、好ましくは、前記第１の部分は前記第１の係合部材を備える、請求項１〜１０のいずれか一項に記載の容器システム。
【請求項１２】
前記第１の係合部材はラッチであり、前記第２の係合部材はキャッチである、請求項１１に記載の容器システム。
【請求項１３】
前記クロージャシステムは、前記蓋を前記開放位置に付勢する付勢手段を含み、好ましくは、前記付勢手段は熱可塑性エラストマーである、請求項１〜１２のいずれか一項に記載の容器システム。
【請求項１４】
前記開放位置は事前に決定され、前記開放位置と比較した、前記閉鎖位置にある前記蓋の相対位置によって形成される角度θは、約９０°〜約１５０°である、請求項１〜１３のいずれか一項に記載の容器システム。
【請求項１５】
前記容器は、消費者製品、好ましくは家庭用ケア製品、より好ましくは洗浄組成物、更により好ましくは、単位用量物品の形態をなす洗浄組成物を収容する、請求項１〜１４のいずれか一項に記載の容器システム。
【発明の詳細な説明】
【技術分野】
【０００１】
本開示は、容器システム、クロージャシステム、及び関連するプロセスに関する。
【背景技術】
【０００２】
プレスターン及びスクイーズターンクロージャを有する容器システムが知られている。そのような容器システムは通常、それらを開放するには複数の協調的な動作が必要であり、一般的な容器と比べてより安全であるがために有用となっている。
【０００３】
しかしながら、そのようなクロージャを有するこうした容器システムは、多数の課題を抱えている。典型的には容器からねじ式で外されるクロージャは、容器から分離され、紛失されることもある。そのようなねじ式クロージャのねじ山をそれらの容器と整合させることは、手先の器用さの限られたユーザにとっては困難となり得る。更に、クロージャは容器の開口部に被さって適合することができなければならないため、容器の開口部は通常、サイズにおいて制限されなければならない。また、好都合にかつ人間工学的に動作するように十分に小さいクロージャ機構を依然として設ける一方で、効率的な充填を可能にするために、より大きな容器開口部を容器システムに設けることも課題となり得る。
【発明の概要】
【発明が解決しようとする課題】
【０００４】
改善された容器システム及び／又はクロージャシステムが必要とされている。
【課題を解決するための手段】
【０００５】
本開示は、容器システム、クロージャシステム、及び関連するプロセスに関する。
【０００６】
本開示は、容器システムであって、貯蔵容量部へのアクセスをもたらす開口部を有する容器と、容器にヒンジにより連結された蓋であって、蓋が開口部を被覆する閉鎖位置と、蓋が開口部を被覆しない開放位置とを有し、蓋は第１の部分と第２の部分とを有し、第１の部分は第２の部分に非一体的に連結され、第１の部分を第１の位置から第２の位置に移動させることにより、蓋を閉鎖位置から開放位置へ移動させることが可能である、蓋と、を備える、容器システムに関する。
【０００７】
本開示は、貯蔵容量部へのアクセスをもたらす開口部を有する容器と、クロージャシステムであって、カバーと、任意選択のフレームとを備え、カバーは、容器又は任意選択のフレームにヒンジにより連結され、貯蔵容量部へのアクセスを妨げる閉鎖位置から、貯蔵容量部へのアクセスを可能にする開放位置へと移動可能である、クロージャシステムと、を備える容器システムであって、ダイアルがカバーに回転可能に連結され、ダイアルは少なくとも１つのプッシュパッドを有し、ダイアルは、容器又は任意選択のフレームと着脱可能に係合可能な少なくとも１つの係合構造体を有し、係合構造体は、容器又は任意選択のフレームと係合されると、蓋が閉鎖位置から開放位置に移動するのを防止し、プッシュパッドを押圧することにより、ダイアルをカバーに対して回転させ、それによって係合構造体を容器又は任意選択のフレームから係合解除して、カバーを開放位置に移動可能にすることが可能である、容器システムに関する。
【０００８】
本開示は、フレームにヒンジにより連結された蓋を含むクロージャシステムであって、フレームは、容器の開放端部に連結可能となるように構成され、蓋は第１の部分と第２の部分とを含み、第１の部分は第２の部分に非一体的に連結され、第１の部分を第１の位置から第２の位置に移動させることにより、蓋をフレームに対して閉鎖位置から開放位置へ移動させることが可能である、クロージャシステムに関する。
【０００９】
本開示は、容器システムに材料を充填するプロセスであって、次の工程、すなわち、容器本体を設ける工程であって、本体は貯蔵容量部を含む、工程と、材料を貯蔵容量部に供給する工程と、本体にクロージャシステムを設ける工程であって、クロージャシステムは、フレームにヒンジにより連結された蓋を含み、フレームは、容器本体の開放端部に連結可能であり、蓋は、第１の部分と第２の部分とを備え、第１の部分は、第２の部分に非一体的に連結され、第１の部分を第１の位置から第２の位置に移動させることにより、蓋をフレームに対して閉鎖位置から開放位置へ移動させることが可能である、工程と、を含む、プロセスに関する。
【００１０】
本開示は、クロージャシステムを作製するプロセスであって、次の工程、すなわち、カバー及びフレームを設ける工程であって、カバーはフレームにヒンジにより連結される、工程と、クロージャシステムを形成するために、回転可能なダイアルをカバーに連結する工程と、を含む、プロセスに関する。
【００１１】
本開示は、容器システムにアクセスするプロセスであって、次の工程、すなわち、本明細書に記載される容器システムを設ける工程と、蓋の第１の部分を第２の部分に対して第１の位置から第２の位置に移動させる工程と、蓋を閉鎖位置から開放位置に移動させる工程と、少なくともいくつかの材料を貯蔵容量部から除去する工程と、蓋を開放位置から閉鎖位置に移動させることによって、容器システムを閉鎖する工程と、を含む、プロセスに関する。
【図面の簡単な説明】
【００１２】
本明細書の図面は、事実上例示的なものであり、制限的であることを意図したものではない。
【図１】本開示による容器システムを示す。
【図２】本開示による容器システムの分解図を示す。
【図３】本開示による容器を示す。
【図４】本開示による容器本体を示す。
【図５】本開示による容器本体の上面図を示す。
【図６】本開示によるフレームの上面図を示す。
【図７】本開示によるフレームの下面斜視図を示す。
【図８】本開示による蓋の上面図を示す。
【図９】本開示による蓋の斜視図を示す。
【図１０】本開示による蓋（例えば、カバー）の第２の部分の後部上面斜視図を示す。
【図１１】本開示による蓋（例えば、カバー）の第２の部分の前部下面斜視図を示す。
【図１２】本開示による蓋（例えば、ダイアル）の第１の部分の上面斜視図を示す。
【図１３】本開示による容器システムの上面図を示し、ここでプッシュパッドが径方向内向きに押し込まれている。
【図１４】図１５と同様の本開示による容器システムの上面図を示し、蓋の第２の部分（例えば、カバー）は示されていない。
【図１５】本開示による容器システムの上面図を示し、ここで第１の部分（例えば、ダイアル）が回転されている。
【図１６】図１７と同様の本開示による容器システムの上面図を示し、蓋の第２の部分（例えば、カバー）は示されていない。
【図１７】本開示による容器システムの側面断面図を示す。
【図１８】図１３の円Ｄの細部を示す。
【図１９】本開示による不正開封防止機構を示す。
【図２０】本開示による単位用量物品を示す。
【図２１】本開示によるクロージャシステムを示す。
【図２２】本開示による容器システムの配列を示す。
【発明を実施するための形態】
【００１３】
本開示は、改善されたクロージャ機構を含んだ容器システムに関する。本容器システムは、第１の部分と第２の部分とを有する蓋を含んでもよく、第１の部分は第２の部分に非一体的に連結され、第１の部分を第１の位置から第２の位置に移動させることにより、蓋を閉鎖位置から開放位置へ移動させることが可能である。第１の部分は、蓋を開放位置に移動させるために押し込まれなければならない１つ以上のプッシュパッドを含んでもよい。第１の部分は回転可能であってもよく、また、蓋を開放位置に移動させるために回転されることを必要としてもよい。蓋を開放するために、プッシュパッドは押し込まれることを必要としてもよく、また第１の部分は回転されることを必要としてもよい。本開示はまた、同様の機構を含んだクロージャシステム及び蓋に関する。
【００１４】
本開示の容器システム及び関連するプロセスについて、以下で更に詳細に説明する。
【００１５】
本明細書で使用するとき、特許請求の範囲で使用されるときの「ａ」及び「ａｎ」という冠詞は、特許請求又は記載されているもののうちの１つ又は２つ以上を意味すると理解される。本明細書で使用するとき、「含む（include）」、「含む（includes）」、及び「含んでいる（including）」という用語は、非限定的であることを意味する。本開示の組成物は、本開示の成分を含み、それらから本質的になり、又はそれらからなることができる。
【００１６】
本明細書では、「実質的に含まない（substantially free of）」又は「実質的に含まない（substantially free from）」という用語が使用され得る。これは、指示される材料が最小限の量であり、組成物の一部を形成するように意図的にその組成物に添加されたものでないこと、又は、好ましくは、分析的に検出可能な濃度で存在しないことを意味する。それは、指示される材料が意図的に含まれる他の材料のうちの１つの中に不純物としてのみ存在する、組成物を含むことを意味する。指示される材料は、あったとしても、組成物の１重量％未満、又は０．１重量％未満、又は０．０１重量％未満、又は更には０重量％のレベルで存在してもよい。
【００１７】
本明細書で使用するとき、「布地ケア組成物」という語句は、布地処理用に設計された組成物及び配合物を含む。かかる組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量配合物、遅延送達配合物、多孔性基材若しくは不織布シート上又は中に含有される洗剤、及び本明細書の教示を考慮すると当業者に明白であり得る他の好適な形態を含む、これらに限定されない。かかる組成物を、洗濯前処理剤、洗濯後処理剤として使用してもよく、あるいは洗濯動作のすすぎ又は洗浄サイクル中に加えてもよい。
【００１８】
別途記載のない限り、成分又は組成物の濃度は全て、当該成分又は組成物の活性部分に関するものであり、かかる成分又は組成物の市販の供給源に存在し得る不純物、例えば、残留溶媒又は副生成物は除外される。
【００１９】
本明細書における全ての温度は、特に断らない限り、摂氏（℃）を単位とする。特に指示がない限り、本明細書における全ての測定は、２０℃及び大気圧下で行う。
【００２０】
本開示の全ての実施形態において、全ての比率（％）は、特に記載のない限り、全組成物の重量に対するものである。特に記載のない限り、全ての比は重量比である。
【００２１】
本明細書の全体を通して記載される全ての最大数値限定は、それよりも小さい全ての数値限定を、かかるより小さい数値限定があたかも本明細書に明確に記載されているかのように包含するものと理解すべきである。本明細書の全体を通して記載される全ての最小数値限定は、それよりも高い全ての数値限定を、かかるより高い数値限定があたかも本明細書に明確に記載されているかのように包含する。本明細書の全体を通して記載される全ての数値範囲は、かかるより広い数値範囲内に入るより狭い全ての数値範囲を、かかるより狭い数値範囲が全てあたかも本明細書に明確に記載されているかのように包含する。
【００２２】
容器システム
本開示は容器システムに関する。図１に示すように、容器システム１００は、容器１０２と蓋１０４とを含み得る。容器１０２は、本体２００とフレーム３００とを含み得る。蓋１０４は、ダイアルの形態をなし得る第１の部分４００と、カバーの形態をなし得る第２の部分５００とを含み得る。
【００２３】
容器システム１００又はその構成要素は、任意の好適な材料から作製されてよい。本体２００は、ポリエチレンテレフタレートなどの好適なプラスチック材料から成形されてよい。任意の好適なポリオレフィン及び／又はポリエステルを使用することができる。フレーム３００及び／又は蓋１０４若しくはその一部分は、ポリプロピレン、ポリエチレン、ポリスチレン、アクリロニトリルブタジエンスチレン（ＡＢＳ）、ポリエステル、ポリ塩化ビニル、ポリカーボネート、若しくはエラストマー、又はこれらの材料のブレンドなどの成形可能な熱可塑性材料から部分的に又は全体的に形成されてよい。
【００２４】
容器本体２００は、清澄な透明又は半透明の材料から形成されてよく、フレーム３００及び／又は蓋１０４は実質的に不透明の材料から形成されてよい。容器システム１００の全体が、実質的に不透明の材料から形成されてもよい。容器システム１００を形成するために用いられる材料は、１種類以上の色を有してもよい。容器本体２００、フレーム３００、及び／又は蓋１０４は全て、同じ色のものであってもよい（例えば、全てがオレンジ色又は全てが緑色）。蓋１０４は、メジャー色とマイナー色とを有してもよい。蓋１０４は、第１の色の第１の部分４００（例えば、ダイアル）と、第２の色の第２の部分（例えば、カバー）とを備えてもよい。第１の色と第２の色は異なっていてもよいが、このことは、第１の部分４００又はその一部分（例えば、プッシュパッド４１０、４１１）を視覚的に目立つようにするのに役立ち得る。
【００２５】
図２に示すように、蓋１０４、例えば第２の部分５００は、フレーム３００にヒンジによって連結されてもよい。フレーム３００は本体２００に連結してもよい。蓋１０４の第１の部分４００は第２の部分５００に連結してもよい。第１の部分４００は通常、第２の部分５００に非一体的に連結される。
【００２６】
図３に示すように、容器は、本体２００と、本体２００に連結するフレーム３００とを含み得る。フレーム３００は開口部３１０を画定してもよい。開口部３１０は、本体２００の貯蔵容量部２１０へのアクセスをもたらし得る。
【００２７】
図４に示すように、本体２００は、底壁２２０と、少なくとも１つの側壁２２２とを含んでもよい。本体２００の壁は、貯蔵容量部２１０を画定してもよく、また、任意の好適な形状、例えば、円筒形又は方形容器の形状をなしてよい。本体は、前壁２２４と、後壁２２５と、２つの側壁２２２、２２３とを含んでよい。壁２２２、２２３、２２４、２２５は、実質的に平坦であっても、凸状であっても、それらの組み合わせであってもよい。
【００２８】
壁２２２、２２３、２２４、２２５は、貯蔵容量部２１０に向かって内向きに延びる平坦部分又は更には凹状部分を含んでもよい。尖った若しくは凸状に丸められた角部を有する代わりに、本体２００は、平坦及び／又は凹状である角部を含んでもよい。本体２００の少なくとも一部分の断面が実質的に八角形の形状を有してもよい。平坦及び／又は凹状の部分は、本体２００の開口部２４０の付近に配置されてもよい。平坦及び／又は凹状の部分は、容器を消費者によってより掴みやすくかつ／又は拾い上げやすくする把持表面を提供し得る。平坦及び／又は凹状の部分はまた、充填及び／又は包装の間に製造業者によって移動されているとき、例えば、箱、枠箱、又はパレットなどの二次包装の中にあるいはその上に置かれているとき、ロボットアームによって容器を拾い上げることをより容易にし得る。
【００２９】
本体２００はネック２３０を含んでもよい。ネック２３０はリム２３２において終端してもよい。リム２３２は、本体２００の開口部２４０を画定してもよい。開口部２４０は周辺部２３４を有してもよい。ネック２４０は、開口部２４０の中心軸線２０２に面する内表面２３６を有してもよい。ネック２３０は外表面２３７を有してもよく、この外表面は、ネック２３０の内表面２３６の反対側にあり、中心軸線２０２から離れる側に向いている。
【００３０】
例えば、容器に内容物を充填するのを容易にするために、本体が比較的大きな開口部２４０を有することが望ましくなり得る。図５に示すように、本体２００の開口部２４０は、ネック２３０の内表面２３６から反対側へと測定される主寸法２４２を有してもよい。主寸法２４２は、１００ｍｍ、又は約１２５ｍｍ、又は約１５０ｍｍから約３００ｍｍ、又は約２５０ｍｍ、又は２００ｍｍの長さを有してもよい。
【００３１】
本体２００の開口部２４０は、ネック２４０の内表面２３６から反対側へと測定される副寸法２４４を有してもよい。副寸法は典型的には、主寸法に対して垂直である。副寸法２４４は、約５０ｍｍ〜約１５０ｍｍ、又は約７０ｍｍ〜約１２５ｍｍ、又は約７５ｍｍ〜約１００ｍｍの長さを有してもよい。
【００３２】
主寸法と副寸法は同じ測定値を有してもよいが（すなわち、比が１：１である）、それらが異なる場合、主寸法がより大きな測定値となる。典型的には、主寸法２４２は一方の側壁からその反対の側壁にかけて測定される。典型的には、副寸法２４４は前壁から後壁にかけて測定される。主寸法２４２は約１７５ｍｍであってもよく、副寸法２４４は約８５ｍｍであってもよい。
【００３３】
本体開口部２４０の主寸法２４２の長さと副寸法２４４の長さとの比は、１：１、又は約１．５：１、又は約２：１から約４：１、又は約３：１、又は約２：１であってよく、この比は約２：１であってもよい。この比が１であるかあるいは１に近いとき、開口部２４０は、正方形又は円形の形状に近くなり得、また、本体２００に内容物を充填することを比較的容易にする大きな面積が開口部２４０にもたらされ得る。この比が１よりも大きい場合、本体２００は、その深さよりも幅広となり得るが、これはすなわち、容器システム１００が、少なくとも１つの壁、例えば前壁２２４において、比較的大きな表面積を有することができ、それによって、前方から後方にかけて占めるスペースを比較的小さくすると共に、大きな棚状のくぼみが設けられ得る。
【００３４】
本体２００は、フレーム３００又は蓋１０４を本体２００に固定するために、フレーム３００及び／又は蓋１０４上の相補的な連結構造３３０と係合する少なくとも１つの連結機構２５０を備えてもよい。連結機構２５０は、本体２００のネック２３０の上にあってもその近くにあってもよい。
【００３５】
連結機構２５０は、リブ、ビード、ねじ山、タブ、スロット、又はこれらの組み合わせから選択されてよい。連結機構は、フレーム３００及び／又は蓋１０４上に位置するタブ３３２を受容するように構成され得るスロット２５２であってもよい。本体２００は、複数の連結機構２５０を備えてもよい。この複数には、異なるサイズを有する連結機構２５０が含まれてもよい。例えば、複数の連結機構２５０は複数のスロット２５２、２５３を含んでもよい。複数のスロットは、少なくとも１つの主スロット２５２と、少なくとも１つの副スロット２５３とを含んでもよく、主スロット２５２は、少なくとも１つの副スロット２５３よりも大きい。
【００３６】
本体２００は、少なくとも２つ、又は少なくとも３つ、又は少なくとも４つの主スロット２５２など、複数の主スロット２５２を備えてもよい。主スロット２５２は実質的に、本体２００の角部に位置してもよい。
【００３７】
本体２００は、少なくとも２つ、少なくとも３つ、少なくとも４つ、少なくとも５つ、少なくとも６つ、少なくとも７つ、又は少なくとも８つ、又は少なくとも９つの副スロット２５３など、複数の副スロット２５３を備えてもよい。
【００３８】
本体２００は、４つの主スロット２５２と、７つ、又は８つ、又は９つの副スロット２５３を備えてもよい。リム２３２のうちの後壁２２５に隣接する部分は、リム２３２のうちの前壁２２４に隣接する部分よりも多くのスロットを備えてもよい。典型的には、フレーム３００又は蓋１０４は、スロット２５２、２５３の数が増加するほど、より安定的に本体２００に取り付けられることになる。
【００３９】
本体２００は、他の手段によってフレーム３００及び／又は蓋１０４に連結されてもよく、その手段は連結機構２５０を含まなくてもよく、あるいは連結機構２５０と組み合わせて使用されてもよい。例えば、本体２００は、溶接、例えば超音波溶接によって、又は接着剤によって、フレーム３００及び／又は蓋１０４に連結されてもよい。
【００４０】
本体２００は、本体２００に支持を加えるのを支援し得る支持壁２６０又はバットレスを含んでもよい。支持壁２６０は、壁から貯蔵容量部２１０の中へと延びてもよく、また底壁２２０に接合されてもよい。
【００４１】
本開示の容器システム１００は、フレーム３００を含んでもよい。容器システム１００の構成に応じて、フレーム３００は、例えば、本体２００に連結されることによって、容器１０２の一部となってもよく、あるいは、フレーム３００はクロージャシステム１１０の一部であってもよい。フレーム３００は、又は更には種々のサイズ若しくは形状を有する複数のフレーム３００は、種々の寸法及び／又は種々の形状の本体開口部２１０を有し得る様々な容器に対して、製造業者が単一の蓋１０４を使用することを可能にし得る。
【００４２】
フレーム３００は、外表面３１８を有する上壁３１７を含んでもよく、この外表面は、フレーム３００が本体２００に連結されるとき、本体２００の開口部２１０から離れる側に向くものである。
【００４３】
図６に示すように、フレーム３００は外側周辺部３２０を有してもよい。上壁３１７は、外側周辺部３２０に外側縁部３２６を有してもよい。外側縁部３２６は、軸方向下向きに延びるスカートへと遷移するショルダーを含んでもよい。
【００４４】
フレーム３００は内側周辺部３２２を有してもよい。内側周辺部３２２は開口部３１０を画定してもよい。開口部３１０は、主寸法３１２と副寸法３１３とを有してもよい。主寸法３１２は、７５ｍｍ、又は約１００ｍｍ、又は約１２５ｍｍから約２５０ｍｍ、又は約２００ｍｍ、又は約２００ｍｍ、又は約１７５ｍｍ、又は約１５０ｍｍの長さを有してもよい。副寸法３１３は、約５０ｍｍ、又は約６０ｍｍから約１５０ｍｍ、又は約１００ｍｍ、又は約７５ｍｍの長さを有してもよい。フレーム３００の開口部３１０の主寸法３１２は、フレーム３００が本体２００に連結されているとき、本体２００の開口部の主寸法２４２に対して実質的に平行となり得る。フレーム３００の開口部３１０の副寸法３１３は、フレーム３００が本体２００に連結されているとき、本体２００の開口部の副寸法２４４に対して実質的に平行となり得る。
【００４５】
本体の開口部２４０は、フレームの開口部３１０と比べて、相対的により大きくてもよい。相対的に大きな開口部２４０を本体２００に有することは、単位用量物品６００などの材料を貯蔵容量部２１０に供給することをより容易にし得る。しかしながら、そのような開口部２４０に嵌合するように十分に大きな蓋１０４を設けること、及び／又は、蓋１０４が本体２００若しくはフレーム３００から係合解除されると蓋１０４が自動的に開放するように（例えば、「ポップアップ」又は「オートリフト」機能）、そのような大きな蓋１０４に十分な付勢力を与えることは困難となることもある。したがって、対応する蓋１０４も同様に相対的により小さくなり得るように、フレーム３００が相対的により小さな開口部３１０を有することが望ましくなり得る。フレームの開口部３１０の主寸法３１２は、本体の開口部２４０の主寸法２４２よりも小さくてもよい。フレームの開口部３１０の副寸法３１３は、本体の開口部２４０の副寸法２４４よりも小さくてもよい。
【００４６】
図７に示すように、フレーム３００は連結構造３３０を含んでもよい。連結構造３３０は、フレーム３００を本体２００に固定するために、本体２００上の相補的な連結機構２５０と係合するように構成されてもよい。連結構造３３０は、フレーム３００の外側周辺部３２０に位置してもその近くに位置してもよい。連結構造３３０は、本体２００に向かって実質的に軸方向下向きに延びてもよい。
【００４７】
連結構造３３０は、任意の好適な構成をなしてよい。連結構造３３０は、本体２００の連結機構２５０に連結可能となるように、例えばその連結機構によって受容可能となるように、構成されてもよい。連結構造３３０のうちの少なくともいくつか又は全てが、タブ３３２、３３４の形態をなしてもよい。タブ３３２、３３４は、本体２００のスロット２５２、２５３による受容が可能となるようにサイズを定められ構成されてもよい。タブ３３２、３３４は、本体２００のスロット２５２、２５３を通過するときに撓曲され、次いで元の位置に復帰し、それによってタブ３３２、３３４を定位置にロックし得る弾性材料から作製されてもよい。
【００４８】
タブ３３２、３３４は、支持部分３３６と係止部分３３９とを含んでもよい。支持部分３３６は、フレーム３００に取り付けられる近位部分３３７を含んでもよく、この近位部分は、外側周辺部３２０に又はその近くにある位置にあってもよい。支持部分３３６は、近位部分３３７から離間配置された遠位部分３３８を含んでもよい。係止部分３３９は、タブ３３２、３３４の遠位部分３３８に又はその近くに位置してもよい。係止部分３３９は、本体２００の連結機構２５０と係合して本体からフレーム３００が離脱するのを食い止めるように、サイズを定められ構成されてもよい。係止部分３３９は、径方向内向き又は径方向外向きなど、支持部分３３６に実質的に直交する方向に延びてもよい。
【００４９】
連結構造３３０は、主タブ３３２と副タブ３３４とを備えてもよい。主タブ３３２は副タブ３３４よりも大きくてもよい。主タブ３３２は、フレーム３００の角部３１４に又はその近くに位置してもよい。この位置における主タブ３３２はより良好な保全性をもたらすと考えられる。副タブ３３４は、主タブ３３２及び／又は角部３１４から離れて位置してもよい。副タブ３３４の数は、主タブ３３２の数よりも多くてもよい。フレーム３００は、少なくとも２つ、少なくとも３つ、又は少なくとも４つの主タブ３３２を備えてよい。フレーム３００は、少なくとも２つ、少なくとも４つ、少なくとも６つ、又は少なくとも８つの副タブ３３４を備えてよい。更に多数のタブ３３２、３３４が更なる保全性をもたらすと考えられる。
【００５０】
フレーム３００はスカート３１５を含んでもよく、このスカートは、フレーム３００が本体２００に連結されるとき、上壁３１７から、例えば上壁３１７の内表面３１９から、本体２００の貯蔵容量部２１０に向かって下向きに垂下するものである。スカート３１５は、フレーム３００の開口部３１０にあっても又はその近くにあってもよい。スカート３１５は、開口部３１０の周りで連続的であっても、又は不連続的であってもよい。スカート３１５は、フレーム３００の連結構造３３０から径方向内向きに位置してもよい。
【００５１】
フレーム３００は支持ウェブ３２３を備えてもよい。支持ウェブ３２３は、フレーム３００に構造的支持を加えてもよい。支持ウェブ３２３は、スカート３１５から径方向外向きに延びてもよい。支持ウェブ３２３は、フレーム３００の上壁３１８に隣接してもよい。支持ウェブ３２３は、上壁３１７、例えば内表面３１９の近くにある基端部３２４と、上壁３１８から離れた末端部３２５とを有してもよい。支持ウェブ３２３は、例えば、ウェブ３２３の基端部３２４から末端部３２５に向かって先細になっていてもよい。そのような先細りは、フレーム３００と本体２００とが連結されるときに、それらの間の位置合わせを促進し得る。
【００５２】
フレーム３００はヒンジ部分３４０を備えてもよい。ヒンジ部分３４０は、例えば、蓋１０４の第２の部分５００又はカバー上で、蓋１０４のヒンジ部分５１０に連結してもよい。ヒンジ部分３４０は、任意の好適な構成を有してよい。例えば、リビングヒンジであってもよく、あるいはピンを含んでもよい。ヒンジ動作可能に連結される代わりに、フレーム３００と蓋１０４は摺動可能に連結されて、貯蔵容量部２１０にアクセスするために蓋１０４を摺動させることを可能にしてもよい。
【００５３】
フレーム３００は、付勢手段１３０のためのポート３４２を備えてもよい。ポート３４２は、付勢手段１３０を受容するようにサイズを定められ構成されてもよい。ポート３４２は、上壁３１７、例えば、外表面３１８又は内表面３１９上に位置してもよい。ポート３４２は、付勢手段１３０がフレームの外表面３１８及び／又は内表面３１９と実質的に共面となるように、フレーム３００の中に差し込まれてもよい。
【００５４】
フレーム３００は、蓋１０４の第１の係合部材４５０と係合するように、例えば、その第１の係合部材を受容するように構成された第２の係合部材３５０を含んでもよい。典型的には、第１の係合部材４５０と第２の係合部材３５０とが係合されるとき、蓋３００は開放位置に移動され得ない。第２の係合部材３５０は、フレーム３００の開口部３１０にあっても又はその近くにあってもよい。第２の係合部材３５０は、スカート３１５上に、例えば、径方向の内側に向いたスカート３１５の内表面３１６上に位置してもよい。第２の係合部材３５０は、蓋１０４又はフレーム４００が適切に操作されるまで第１の係合部材４５０の相対運動（例えば、係合解除されること又は回転すること）を制限する、少なくとも１つの止め壁３５１を有してもよい。第２の係合部材３５０は、ラッチを受容するキャッチであってもよい。
【００５５】
フレーム３００が本体２００に連結されるとき、フレーム３００の上壁３１７の外側縁部３２６は、容器本体２００のネック２３０の内側に入れ子にされてもよい。そのような位置では、外側縁部３２６は、容器システム１００の外側から直ちにアクセスできない。この構成は、付加的な保全性が望まれる容器システム１００にとって特に有利となり得るものであり、入れ子により、フレーム３００及び／又は蓋１０４は、指でこじ開けることによっても、あるいは製造又は出荷の間に他の容器又は機器と偶発的に接触することによっても、容易にはこじ開けられ得ない。
【００５６】
図８に示すように、本開示の容器システム１００は蓋１０４を含み得る。蓋１０４は、フレーム３００又は本体２００にヒンジにより連結可能であってもよい。蓋１０４は、蓋１０４が開口部３１０を被覆し、それによって貯蔵容量部２１０へのアクセスをブロックする閉鎖位置と、蓋１０４が開口部３１０を被覆せず、それによって貯蔵容量部２１０へのアクセスを可能にする開放位置とを有するように、容器１０２に対して位置決め可能であってもよい。
【００５７】
蓋１０４は、第１の部分４００と第２の部分５００とを含んでもよい。第１の部分５００は、第２の部分に非一体的に連結されてもよい。第１の部分４００は、第２の部分５００に対して移動可能であってもよい。第１の部分４００は、第１の位置から第２の位置へと移動可能であってもよい。第１の部分４００を第１の位置から第２の位置へと移動させることにより、蓋１０４を閉鎖位置から開放位置へ移動させることが可能である。第２の部分５００は、開放位置から閉鎖位置へと復帰可能であってもよい。蓋１０４は、蓋１０４が適切に閉鎖位置にあるという信号、例えば可聴信号（例えば、クリック音）を消費者に提供するように構成されてもよい。
【００５８】
第２の部分は、外側に面する外表面５３１と、外表面５３１の反対側の内表面５３２とを有し得る上壁５３０を有してもよい。第１の部分４００は、第２の部分５００の内表面５３２に実質的に面してもよい。上壁５３０は外側縁部５３３を有してもよい。
【００５９】
蓋１０４は、少なくとも１つのヒンジ部分５１０を備えてもよい。ヒンジ部分５１０は、蓋１０４の第２の部分５００の一部であってもよい。ヒンジ部分５１０は、フレーム３００のヒンジ部分３４０に連結してもよい。ヒンジ部分５１０は、任意の好適な構成を有してよい。例えば、リビングヒンジであってもよく、あるいはピンを含んでもよい。
【００６０】
蓋１０４、例えば第２の部分５００は、付勢手段１３０のためのポート５２０を備えてもよい。ポート５２０は、付勢手段１３０を受容するようにサイズを定められ構成されてもよい。ポート５２０は、蓋１０４又は第２の部分５００の上壁５３０、例えば、外表面５３１又は内表面５３２上に位置してもよい。ポート５２０は、付勢手段が第２の部分５００の外表面５３１及び／又は内表面５３２と実質的に共面となるように、蓋１０４の中に差し込まれてもよい。
【００６１】
蓋１０４はしるし１３５を備えてもよい。しるし１３５は、第２の部分５００、例えば、上壁５３０の外表面５３１を含めて、上壁５３０上に位置してもよい。蓋１０４が開放位置にあるとき、蓋１０４を再閉鎖するためのリマインダー又は指示を含み得る、例えば使用状況及び／又は安全性に関する通知を消費者に提供するために、上壁５３０の内表面５３２上にしるし１３５を有することが望ましくなり得る。しるし１３５は、蓋１０４と一体的に成形され、蓋に印刷され、かつ／又は蓋に（ラベル又はステッカーによって）貼り付けられてもよい。しるし１３５は、テキスト、グラフィック、又はこれらの組み合わせを含んでもよい。しるし１３５は、安全のための指示、説明のための指示、商標若しくはブランド名、又はこれらの組み合わせを示してよい。説明のための指示は、例えば、プッシュパッド４１０、４１１を押す方向を示す矢印及び／又は容器システム１００を開放するために必要な回転の方向を示す矢印によって、容器システム１００を開放する方法を示してもよい。本体２００、フレーム３００、蓋１０４、第１の部分４００、及び／又は第２の部分５００を含めて、容器システム１００の任意の部分が、上述のしるし１３５のいずれかを含んでもよい。
【００６２】
図８〜１０に示すように、第２の部分５００は少なくとも１つのアパーチャ５４０、５４１を含んでもよい。第１の部分４００、例えば、プッシュパッド４１０、４１１は、少なくとも１つのアパーチャ５４０、５４１を通じてアクセス可能であってもよい。
【００６３】
図９に示すように、蓋１０４は第１の係合部材４５０を備えてもよい。第１の係合部材４５０は、フレーム３００又は本体２００上に位置し得る第２の係合部材３５０と係合するように構成されてもよい。第１の係合部材４５０は、蓋１０４の第１の部分４００又は第２の部分５００、典型的には第１の部分４００上に位置してもよい。典型的には、蓋１０４を開放位置に移動させるためには、第１の係合部材４５０は、第２の係合部材３５０に対して相対的に移動されなければならない（例えば、回転されるか又は径方向内向きに移動されなければならない）。第１の係合部材４５０は、キャッチと係合するラッチであってもよい。
【００６４】
図９及び１０に示すように、蓋１０４の第２の部分５００の上壁５３０は、異なる相対的な軸方向高さにある部分を含んでもよい。上壁５３０は谷部５３５を含んでもよい。谷部５３５は、外壁５３０の外側部分５３４と内側部分５３９とを少なくとも部分的に分割してもよい。谷部５３５は、外側部分５３４に対して径方向内向きに、かつ／又は内側部分５３９に対して径方向外向きにあってもよい。谷部５３５は、外側部分５３４に隣接する側壁５３６と、内側部分５３９に隣接する側壁５３８と、側壁５３６と５３８との間に配設された床部５３７とを含んでもよく、床部５３７は、蓋１０４が外側部分５３４及び／又は内側部分５３９と比較して閉鎖位置にあるときに、貯蔵容量部２１０により近接して軸方向に位置付けられてもよい。アパーチャ５４０、５４１は、側壁５３８及び／又は内側部分５３９上に配設されてもよい。外側部分５３４及び内側部分５３９は、交差領域５６０に接触してもよく、あるいはそれらは接触しなくてもよい。
【００６５】
外側部分５３４及び内側部分５３９は、実質的に同一平面上にあってもよく、このことは、容器システム１００の積重ね、保管、及び／又は輸送を容易にし得る。アパーチャ５４０、５４１及びプッシュパッド４１０、４１１を谷部５３５内に（すなわち、上壁５３０の外側部分５３４及び／又は内側部分５３９によって形成される平面の実質的に下方に）配置することは、多数の利点をもたらし得る。例えば、開口機構を凹ませることにより、積重ね、保管、及び／又は輸送が容易となり得る。開口機構の薄型化は、例えば、蓋開閉プロセス及び／又は輸送中に損傷からそれを保護するのに役立ち得る。薄型化はまた、特に前側から見たときに（例えば、パッケージが棚上にあるときに消費者によって見られるように）、「清潔な」見た目のパッケージを製造業者に提供する。
【００６６】
内側部分５３９は、メサのように上壁５３０から隆起してもよい。そのような場合、上壁５３０は、外側部分５３４と、内側部分５３９と、外側部分５３４の近くの近位端部と内側部分５３９の近くの遠位端部とを有する側壁５３８と、を備えてもよく、ここで内側部分５３９は、外側部分５３４の上方に軸方向に上昇している。外側部分５３４は、内側部分５３９を実質的に囲繞してもよい。
【００６７】
図１０及び１１に示すように、第２の部分５００は、第１の部分４００の第２の部分５００への連結を容易にする少なくとも１つの連結部分５６２、５６３、５６４を有してもよい。連結部分５６２、５６３、５６４は、上壁５３０の内表面５３２から軸方向下向きに垂下してもよい。連結部分５６２、５６３、５６４は、上壁５３０の内側部分５３９から下向きに垂下してもよい。連結部分５６２、５６３、５６４は、第１の部分４００の回転を可能にするように構成されてもよい。連結部分５６２、５６３、５６４はタブであってもよい。
【００６８】
図１１に示すように、第２の部分５００は、上壁５３０から垂下するポスト５６８を含んでもよい。ポスト５６８は、回転軸（ＲＡ）と実質的に整列してもよい。第１の部分４００は、ポスト５３０上に配置され、それを中心に相対的に回転するように構成されてもよい。ポスト５６８は、位置合わせ、組立て、及び／又は回転を容易にし得るリブ５６９又は他の不規則部を含んでもよい。ポスト５６８及び／又はリブ５６９は、上壁５３０の近くの基端部から末端部へと上壁５３０から離れて先細になってもよい。
【００６９】
第２の部分５００は、第１の部分４００の相対運動を制限する機構を含んでもよい。例えば、第２の部分５００のうちのアパーチャ５４０、５４１を画定している領域は、少なくとも１つの突出部５６５ａ、５６５ｂを含んでもよい。突出部５６５ａ、５６５ｂは、谷部５３５の底部５３７の一部であってもよい。突出部５６５ａ、５６５ｂは、第１の部分４００が別様に操作され得る（例えば、回転され得る）前に、第１の部分４００がある方法で操作されなければならない（例えば、プッシュパッドが径方向内向きに押し込まれなければならない）ように、構成されてもよい。突出部５６５ａ、５６５ｂは、プッシュパッドが径方向内向きに押し込まれない限り、第１の部分４００が回転することを防止し得る。
【００７０】
第２の部分５００は、少なくとも１つの回転ストッパ５６６、５６７を含んでもよい。少なくとも１つの回転ストッパ５６６、５６７は、典型的には更なる回転を妨げるように配置されることによって第１の部分４００の回転を制限する構造であってもよい。回転ストッパ５６６、５６７は、上壁５３０の内表面５３２上に、例えば、内側部分５３９上に配設されてもよい。
【００７１】
第２の部分５００は後壁５７０を含んでもよい。後壁５７０は、上壁５３０の内表面５３２から下向きに垂下してもよい。後壁５７０は、第２の部分５００に対する第１の部分４００の水平運動を制限するように構成及び配置されてもよい。後壁５７０は、第１の部分４００が第２の部分５００と係合されたときに、第１の部分４００のうちの第１の係合部材４５０の反対側にある部分の近くに位するように配置されてもよい。蓋１０４が、第１の部分４００の回転時に開放されるように設計されているとき、後壁５７０のそのような位置は、例えば、容器システムの落下又は他の衝撃力による偶発的又は意図しない開放を低減するのに役立ち得る。後壁５７０は、組立中における蓋１０４の第１の部分４００と第２の部分５００との位置合わせを支援してもよい。後壁５７０は、連続的であっても不連続的であってもよい。後壁５７０は、ポストであってもフランジであってもよい。
【００７２】
第２の部分５００は、上壁５３０の内表面５３２から下向きに垂下する少なくとも１つのプッシュパッド止め壁を含んでもよい。第２の部分５００のプッシュパッド止め壁は、第１の部分４００のプッシュパッド４１０、４１１に対して径方向内向きに配置されてもよい。プッシュパッド止め壁は、プッシュパッド４１０、４１１上の過剰な衰耗、並びに／又は第１及び第２の部分４００、５００の偶発的な係合解除を防止するように、プッシュパッド４１０、４１１の径方向運動を制限してもよい。
【００７３】
蓋１０４、例えば、第２の部分５００は、任意の好適な形状を有してもよい。その形状は典型的には、フレーム３００の開口部３１０及び／又は内側周辺部３２２に対して相補的である。その形状は、実質的に矩形であっても、円形であっても、又は概ね楕円形の形状であってもよい。蓋１０４及び／又は第２の部分５００の円形又は楕円形の形状は、フレーム３００が比較的より大きな表面積を有することを可能にすることが好ましい場合があり、これにより、製造中により良好な把持表面（例えば、吸引カップによって）が得られ、かつ／又は、積重ね表面がより大きくなりかつより安定することで容器システム１００の積重ねがより良好となり得る。円形又は楕円形の形状もまた、蓋１０４上の鋭利な角部を排除するために好ましくなり得る。
【００７４】
上壁５３０は、図９〜１１に示されるように、垂下スカート５４２を有してもよい。スカート５４２は、蓋１０４が閉鎖位置にあるとき、上部壁５３０から容器２００の貯蔵容量部２１０に向かって下向きに垂下してもよい。スカート５４２は、上壁５３０の外側縁部５３３において又はその近くで上壁５３０から垂下してもよい。スカート５４２は、上壁５３０から遠位にある下側縁部５４３で終端してもよい。スカート５４２は、上壁５３０の外側縁部５３３の周りで連続的であっても不連続的であってもよい。スカート５４２は、スカート５４２が上壁５３０と会合するところ（例えば、外側縁部５３３）から、スカート５４２の下側縁部５４３にかけて測定される深さ５４４を有してもよい。スカートの深さ５４４は、上壁５３０の周辺部の周りで一定であっても可変であってもよい。スカート５４２は、約１ｍｍ、又は約２ｍｍ、又は約５ｍｍから約２０ｍｍ、又は約１５ｍｍ、又は約１０ｍｍの深さを有してもよい。より深いスカート５４２により、下側縁部５４３の下方に指又は他のレバーを配することがより困難になるので、蓋１０４が意図されない時期にこじ開けられる機会を最小化するために、相対的により大きな深さ５４４が好まれることもある。しかしながら、深さ５４４は、蓋１０４の開放を妨げない程度の大きさであるべきである。
【００７５】
図１２は、蓋１０４の第１の部分４００の上面斜視図を示す。第１の部分４００は基部プレート４０２を有してもよい。基部プレート４０２は内表面４０４を有してもよい。内表面４０４は、第１の部分４００が第２の部分５００と係合されているとき、第２の部分５００、例えば上壁５３０の内表面５３２に面してもよい。
【００７６】
第１の部分４００は、基部プレート４０２から垂下するスカート４０６を有してもよい。スカート４０６及び基部プレート４０２は、第１の部分４００の内部領域４０５を画定してもよい。スカート４０６は、基部プレート４０２の周りで連続的であっても不連続的であってもよい。スカート４０６は、基部プレート４０２から遠位側にあるリム４０７で終端してもよい。
【００７７】
第１の部分４００は、回転軸ＲＡの周りで回転可能であってもよい。第１の部分４００は、回転軸ＲＡと同心であるアパーチャ４１６を画定してもよい。アパーチャ４１６は、第２の部分５００のポスト５６８を受容するように構成されてもよい。第１の部分４００は、アパーチャ４１６を画定する基部プレート４０２から垂下する円筒４１７を含んでもよく、この円筒４１７は、ポスト５６８を受容するように構成されてもよい。
【００７８】
第１の部分４００は、第２の部分５００の連結部分５６２、５６３と係合するように構成された連結機構４０８、４０９を含んでもよい。例えば、連結機構４０８、４０９は、第２の部分５００の連結部分５６２、５６３、５６４（例えば、タブ）を受容するように構成されたスロットであってもよい。連結機構４０８、４０９は、第２の部分５００に対する第１の部分４００の移動（例えば、回転）を可能にするように構成されてもよい。
【００７９】
第１の部分４００は、スカート４０６から延在する壁４２０、４２１を含んでもよい。壁４２０は、スカート４０６の周りで連続的であっても不連続的であってもよい。壁４２０、４２１は、スカート４０６の近く、例えば、スカート４０６のリム４０７の近くにある近位端部４２２、４２３を含んでもよい。壁は、スカート４０６から離れて位置する遠位端部４２４、４２５を含んでもよい。壁４２０、４２１は、軸方向においてスカート４０６に対して実質的に平行であってもよい。
【００８０】
壁４２０、４２１は、壁４２０、４２１の遠位端部４２４、４２５から径方向外向きに延在する少なくとも１つのレッジ４２６、４２７を含んでもよい。レッジ４２６、４２７は、特に、プッシュパッド４１０、４１１が径方向内向きに押し下げられるときに、容器の内容物との視覚的接触を遮断するのに有用となり得る。レッジ４２６、４２７はまた、内容物が容器から飛び出さないようにかつ／又は外部材料（例えば、水分、粉塵、及び／若しくは汚れ）が容器に入らないように、物理的障害を設けてもよい。更に、レッジ４２６、４２７は、プッシュパッド４１０、４１１が意図されていない方向（例えば、径方向外向き）に移動することを阻止してもよい。
【００８１】
少なくとも１つのレッジ４２６、４２７は、少なくとも１つの間隙４２８、４２９を含んでもよい。レッジ４２６、４２７内に少なくとも１つの間隙４２８、４２９を設けることにより、第１の部分４００の柔軟性が改善され、プッシュパッド４１０、４１１はより容易に押し下げられ得る。所望の程度の柔軟性をもたらすために当業者が間隙４２８、４２９のサイズ及び／又は配置を操作し得ることが理解される。少なくとも１つのレッジ４２６、４２７は、第１の部分４００及び／又はプッシュパッド４１０、４１１の改善された弾力性をもたらし得る間隙４２８、４２９を有さなくてもよい。
【００８２】
第１の部分４００は、少なくとも１つのプッシュパッド４１０又は少なくとも２つのプッシュパッド４１０、４１１を含んでもよい。プッシュパッド４１０、４１１は、スカート４０６から延在する壁４２０、４２１の一部であってもよい。プッシュパッド４１０、４１１は、押圧されると、回転軸ＲＡに向かって径方向内向きに移動可能であってもよい。少なくとも２つのプッシュパッド４１０、４１１が存在する場合、プッシュパッド４１０、４１１は、回転軸ＲＡの周りで互いに円周方向に離間配置されてもよく、これらは典型的には、直径方向に対向する（すなわち、円周方向に１８０°、離間配置されている）。
【００８３】
プッシュパッド４１０、４１１は、押圧されると、蓋１０４が閉鎖位置にあるときに、軸方向に、好ましくは貯蔵容量部２１０に向かって軸方向下向きに移動可能であってもよい。
【００８４】
プッシュパッド４１０、４１１を屈曲させるのに必要な力は、パッドサイズ、ヒンジ配置、補剛リブ、使用される材料、意図的な脆弱領域（例えば、薄化領域、スコアリング、アパーチャ、間隙などによる）、又は当業者に明らかな他の変数を選択することによって調節されてもよい。プッシュパッド４１０、４１１を屈曲させるのに必要な押圧力は、典型的には約１ポンド〜約５ポンド、又は約１．５ポンド〜約３ポンドである。
【００８５】
プッシュパッド４１０、４１１は、リブ、バンプ、及び／又はディンプルなどの凹凸部４１２を含んでもよい。そのような凹凸部４１２は、プッシュパッド４１０、４１１を押圧し、かつ／又は第１の部分４００を回転させるときに、摩擦をもたらし、プッシュパッド４１０、４１１をより把持しやすいものにし得る。リブなどの凹凸部４１２は、力が加えられるべき好ましい位置を強調又は規定し得る。凹凸部４１２はバンプであってもよい。
【００８６】
プッシュパッド４１０、４１１は、一方のプッシュパッド４１０の径方向外向き表面４３４からもう一方のプッシュパッド４１１の径方向外向き表面４３５にかけて測定される一定の距離だけ離れていてもよい。この距離は、ユーザが片手で蓋１０４を操作することが可能となり得るように、成人の機能的な手のスパンに適合するように選択されてもよい。プッシュパッド４１０、４１１は、２ｃｍ、又は３ｃｍ、又は４ｃｍ、又は５ｃｍから１２ｃｍ、又は１０ｃｍ、又は８ｃｍ、又は６ｃｍだけ離れて配設されてもよい。プッシュパッド４１０と４１１との間の距離と、フレーム３００の開口部３１０及び／又は容器本体２００の開口部２４０の主寸法との比率は、１：１０、又は１：８、又は１：６、又は１：５から１：１．５、又は１：２、又は１：３、又は１：４であってもよい。この比率は、プッシュパッド４１０、４１１を操作するために必要とされる手のスパン（好ましくは、好都合な操作が可能となるように比較的小さい）と比較して、開口部のサイズ（好ましくは、効率的な充填が可能となるように比較的大きい）を最適化するように選択されてもよい。
【００８７】
第１のアーム４００は第１の係合部材４５０を含んでもよい。上述したように、第１の係合部材４５０は、フレーム３００又は本体２００上に位置し得る第２の係合部材３５０と係合するように構成されてもよい。第１の係合部材４５０は、キャッチと係合するラッチであってもよい。
【００８８】
第１の部分４００は止め壁４３０、４３１を含んでもよい。止め壁４３０、４３１は、基部プレート４０２から、例えば、第１の部分４００の内部領域４０５の中へと垂下してもよい。止め壁４３０、４３１は、第２の部分５００の少なくとも１つの回転ストッパ５６６、５６７と係合し、それによって第１の部分４００の回転を制限するようにサイズ決め及び配置されてもよい。
【００８９】
第１の位置から第２の位置へと回転するとき、又はその逆に回転するとき、第１の部分４００は、第２の部分５００に対して、約１°、又は約５°、又は約１０°、又は約１５°から約１８０°、又は約９０°、又は約６０°、又は約４５°、又は約３０°、又は約２５°の角度にわたって回転する。回転の程度は、能動的に開放されていないときに、安全性を維持しながら蓋１０４を容器１０２から係合解除させるのに十分な大きさであるべきである。しかしながら、例えば、消費者が自身の手を再配置する必要なく片手で容器システム１００を開放し得るように、使用の利便性のために比較的小さい回転の程度が望ましい場合がある。
【００９０】
第１の部分４００は、少なくとも１つの支持壁４７０、４７１、４７２を含んでもよい。少なくとも１つの支持壁４７０は、基部プレート４０２から垂下してもよい。少なくとも１つの支持壁４７０は、アパーチャ４１６及び／又は回転軸ＲＡと実質的に同心であってもよく、少なくとも１つの支持壁４７１は、アパーチャ４１６及び／又は回転軸ＲＡから実質的に径方向に延在してもよく、少なくとも１つの支持壁４７２は、付勢構造体４６０を実質的にトレースしてもよく、又はこれらの任意の組み合わせであってもよい。
【００９１】
蓋１０４は付勢構造体４６０を備えてもよい。付勢構造体４６０は、第２の位置への移動後に第１の部分４００を第１の位置に戻すように構成されてもよい。第１の部分４００、第２の部分５００、又はそれら両方が付勢構造体４６０を備えてもよい。第１の部分４００は付勢構造体４６０を備えてもよい。付勢構造体４６０は、第１の部分４００の内部領域４０５に位置してもよい。付勢構造体４６０は、基部プレート４０２から少なくとも部分的に垂下してもよい。
【００９２】
図１２に示すように、付勢構造体４６０は、第１の端部４６１と、第２の端部４６２と、それらの間に配設された中間部分４６３とを備えてもよい。付勢構造体４６０は、第１の端部４６１で基部プレート４０２に固定され、第２の端部で円筒４１７に固定されてもよく、第２の端部４６２は、基部プレート４０２に固定されてもよい。付勢構造体４６０に力が加えられると（例えば、第１の位置から第２の位置への回転時に）、付勢構造体４６０、例えば中間部分４６３は弾性変形してもよく、その力が解放されると、付勢構造体４６０は、第１の部分４００を第１の位置に復帰させてもよい。
【００９３】
付勢構造体４６０は、第１の部分４００又は第２の部分５００の残部と一体的に形成されてもよく、例えば、それらは単一の部品として成形されてもよい。付勢構造体４６０は、第１の部分４００及び／又は第２の部分５００とは別の部品であってもよい。
【００９４】
付勢構造体は、少なくとも第１の付勢構造体４６０と、第２の付勢構造体４６５とを備えてもよい。第１及び第２の付勢構造体４６０、４６５は、互いから円周方向に離間されてもよく、それらは、直径方向に対向していてもよい。
【００９５】
付勢構造体４６０、４６５は、ばねシステムを備えてもよい。ばねシステムは、図１２に示すように、１つ以上のばねを備えてもよい。付勢構造体４６０は、弾性バンド、金属ばね、フランジ、又は任意の他の好適な付勢手段を備えてもよい。付勢構造体４６０は、Ｃ字形状、Ｓ字形状、又は更には直線状のフランジを含めて、任意の好適な形状を有してよい。
【００９６】
付勢構造体４６０、４６５は、（図１２に示すように）第１の部分４００上に位置してもよく、また第２の部分５００上の相対的に静止した相補的構造体と係合してもよい。図示されていないが、付勢構造体４６０、４６５は第２の部分５００上に位置してもよく、また第１の部分４００上の相対的に静止した相補的構造体と係合してもよいことが認識される。
【００９７】
一例として、図１３〜１６は、上面図から見た、使用条件下での第１の部分４００と第２の部分５００とフレーム３００との相対的な相互作用を示す。
【００９８】
参考のために、図８は、閉鎖した弛緩位置にある蓋の上面図を示す。第１の部分４００は第１の位置にあり、プッシュパッド４１０、４１１は押圧されておらず、付勢構造体４６０、４６１は弛緩している。プッシュパッド４１０、４１１が押圧されていないとき、突出部５６５ａ、５６５ｂがそのような回転を阻止することにより、第１の部分４００は第２の部分５００に対して回転され得ない。更に、第１の部分４００の第１の係合部材４５０は、蓋１０４が開放位置に移動され得ないように、フレーム３００の第２の係合部材３５０と係合される。
【００９９】
図１３は、大きな矢印によって明らかにされるように、プッシュパッド４１０、４１１が径方向内向きに押圧されたときのシステムを示す。プッシュパッド４１０、４１１はここで、第１の部分４００が回転され得るように、突出部５６５ａ、５６５ｂから離れている。
【０１００】
図１４は、図１３と同じことを示しているが、この図では第２の部分５００は示されていない。第１の部分４００（例えば、ダイアル）は、フレーム３００上のキャッチ３５１と係合されるラッチ４５１を含む。このロック機構が係合されるため、プッシュパッド４１０、４１１が半径方向内向きに押圧されても、蓋は依然として開放され得ない。全体として、第１の部分４００は第１の位置にあり（ただしプッシュパッド４１０、４１１は押圧されている）、付勢構造体４６０、４６１は弛緩した「ホーム」ポジションにある。
【０１０１】
図１５では、第１の部分４００は、第２の位置へと、第２の部分５００に対して約１５°〜２５°回転されている。プッシュパッド４１０、４１１の少なくとも一部分は、突出部５６５ａ、５６５ｂを越えて摺動している。
【０１０２】
図１６は、図１５と同じことを示しているが、この図では第２の部分５００は示されていない。第１の係合部材４５０は、ここで、蓋１０４が開放位置に移動され得るように、第２の係合部材３５０から係合解除される。付勢構造体４６０、４６１は変形され、張力が解放されると第１の部分４００を第１の位置に復帰させる。
【０１０３】
容器システム１００は、第１の係合部材４５０と第２の係合部材３５０とが係合されていないときに蓋１０４を開放位置に付勢する付勢手段１３０を含んでもよい。蓋１０４の「オートリフト」又は「ポップアップ」動作は、消費者にとって便利である。加えて、「ポップアップ」動作は、蓋１０４が閉鎖位置に固定されてないときに、消費者に警告し得る。
【０１０４】
容器システム１００は、蓋１０４が開放位置にあるときに所定の点で停止するように構成されてもよい。図１７は、蓋１０４が開放位置にある容器システム１００の側面断面図を示す。容器システム１００は、開放位置（破線Ｔ−Ｔによって大まかに示される）と比較した、閉鎖位置（破線Ｓ−Ｓで大まかに示される）にある蓋１０４の相対位置によって形成される角度θが、約９０°〜約１５０°、又は約１１０°〜約１３５°となるように構成されてもよい。蓋が、閉鎖位置から２７０°未満又は１８０°未満である所定の角度で停止することが有利となり得る。例えば、そのような所定の角度により、ヒンジシステム及び／又は付勢手段１３０に及ぼされる衰耗はより少なくなり得る。この所定の角度は、消費者が蓋１０４を再閉鎖することを促されるように、容器を保管するのに相対的に不便にする角度に蓋１０４を保ち得るものであり、このことは、安全性及び／又は製品安定性の理由から有益となり得る。加えて、この所定の角度は、蓋１０４が開放位置にあるときに蓋の内表面に位置するしるしが好都合に視認される角度に蓋１０４を保持してもよく、そのようなしるしは、安全リマインダー、指示、マーケティング情報などを含んでもよく、蓋１０４はそのようなしるしを備えてもよい。
【０１０５】
付勢手段１３０は、蓋１０４を開放位置に付勢するための任意の好適な機構であってもよい。付勢手段１３０は、容器システム１００の１つ以上の部分と一体であってもよい。付勢手段１３０は、容器システムから取り外し可能及び／又は交換可能であってもよい。付勢手段１３０は、ばね、弾性インサート、弾性バンド、弾性フランジ、又は任意の他の好適な手段から選択されてもよい。付勢手段１３０は、プラスチック、シリコン、金属、又はこれらの組み合わせなどの任意の好適な材料で作製されてもよい。保管及び／又は繰返し使用の際に変形又は反りをほとんど又は全く示さない付勢手段１３０及び／又は付勢手段１３０の材料を選択することが望ましい場合がある。
【０１０６】
付勢手段１３０は弾性インサート１３２であってもよい。弾性インサートは、任意の好適な弾性材料から作製されてよい。弾性インサートは熱可塑性エラストマーであってもよい。熱可塑性エラストマーは、例えば、バイインジェクション成形によって、容器システム１００の１つ以上の部品と共成形されてもよい。例えば、熱可塑性エラストマーは、フレーム３００及び／又は蓋１０４、典型的にはフレーム３００及び第２の部分５００との共成形（例えば、バイインジェクション成形）によって形成されてもよい。弾性インサートは、フレーム３００及び／又は蓋１０４と異なる材料であってもよい。
【０１０７】
図１８は、図１６の円Ｄの拡大図を示す。付勢手段１３０は、容器１０２及び蓋１０４に連結される弾性インサート１３２であってもよい。より具体的には、インサート１３２は、それぞれ容器１０２及び蓋１０４のポート３４２、５２０内に位置するように構成されてもよい。蓋１０４が閉鎖位置にあるとき、インサート１３２はＣ字形状に曲げられる。第１及び第２の係合部材４５０、３５０が係合解除されると、インサート１３２は蓋１０４を開放位置へと持ち上げる。上述のように、蓋１０４は、閉鎖位置から１８０°未満の所定の開放位置又は角度で停止してもよい。
【０１０８】
付勢手段１３０は、熱可塑性エラストマインサート１３２などの付勢手段１３０が作動されるまで、蓋１０４が第１の開口部で開放位置まで完全に開放しないように選択されてもよい。そのような場合、蓋１０４は中間位置まで開放されるが、この中間位置は、開放位置において形成される角度よりも小さい、閉鎖位置に対して形成される角度で配設されるものである。中間位置と閉鎖位置とによって形成される角度は、約５°〜約６０°、又は約１０°〜約４５°であってもよい。ユーザは、第１の開放において、蓋１０４を中間位置からその完全開放位置へと押しやらなければならない。第１の開放の後、付勢手段１３０は、十分に作動されてもよく、また、１時間、２時間、３時間、４時間、５時間、又は更には８時間など、第１の開放の後の特定の時間期間内のその後の開放時に蓋１０４をその完全開放位置に自動的に付勢してもよい。保管又は輸送中の偶発的な開放及びその後の漏れ又は製品損失を最小限に抑える一方で、特定の日に複数回の使用（例えば、洗濯回数）を経て「ポップアップ」蓋の利便性及び心地よさを依然として提供するために、そのようなシステムが好まれ得る。
【０１０９】
本開示の容器システム１００は、不正開封防止機構４８０を含んでもよい。図１９に示されるように、不正開封防止機構４８０は、容器システム１００に、例えば、蓋１０４の第１又は第２の部分４００、５００に着脱可能に取り付けられてもよい。不正開封防止機構４８０は、脆弱部分に、例えば、脆弱線４８１に取り付けられてもよい。不正開封防止機構４８０は、第２の部分５００（例えば、カバー）に取り付けられてもよく、また、例えば、アパーチャ５４０、５４１の一部を塞ぐことによって、プッシュパッド４１０、４１１が押圧されたときでも、第１の部分４００の回転を阻止するように配置されてもよい。不正開封防止機構４８０は、蓋１０４の第１の部分４００（例えば、ダイアル）に取り付けられてもよい。不正開封防止機構４８０は、蓋１０４とタブ２００とを連結するステッカーを含んでもよい。
【０１１０】
本開示の容器システム１００は、本明細書に明示的に例示される構成以外の構成を含めて、当業者に認識可能な任意の好適な構成で本開示の構成要素のいずれかを含んでもよい。例えば、第１の部分４００（例えば、ダイアル）は、容器本体２００の側壁に近接するフレーム３００に連結されてもよい。第１の部分４００を第１の位置から第２の位置に移動させると、第２の部分５００（例えば、カバー）は、閉鎖位置から開放位置へ移動して、例えばヒンジにより開放することが可能であってもよい。第１の部分４００は、容器本体２００の前壁の中心に近いが、フレーム３００に連結されてもよい。第１の部分４００は本体２００に連結されてもよい。そのような構成は、蓋１０４及び本体の前壁の両方が滑らかで清潔な外観を有し得るようにするために望ましくなることがあり、ダイアルは本体２００の後壁に配置されてもよい。当業者であれば、本容器システム１００の様々な連結及び係合機構が、これら又は他の構成を容易にするために必要に応じて再構成され得ることを認識するであろう。
【０１１１】
容器システム１００は、任意の好適な材料又は組成物を含んでよい。典型的な材料及び組成物としては、布地ケア処理剤、硬質表面洗浄剤、石鹸、シャンプー、コンディショニング剤、殺虫剤、塗料、溶媒、工業用化学物質、工業用金物類（例えば、釘、ねじなど）、薬剤、ピル、食品などが挙げられるが、これらに限定されない。その材料は感水材料であってもよく、すなわち、その材料は、液状水又は水蒸気に曝されたときに溶解又は分解する傾向を有する。その材料は、消費者製品、好ましくは家庭用ケア製品、好ましくは洗浄組成物、より好ましくは、単位用量物品の形態をなす洗浄組成物であってもよい。
【０１１２】
有用な組成物の非限定的な例には、ライトデューティ及びヘビーデューティの液体洗剤組成物、硬質表面洗浄用組成物（自動食器洗浄機での使用を目的とする組成物を含めた食器用ケア組成物など）、洗濯に広く使用されている洗剤ジェル、漂白及び洗濯用添加剤、シャンプー、ボディソープ、並びに他のパーソナルケア組成物が挙げられる。組成物は、液体、ゲル、固体、単位用量物品、又はこれらの混合物の形態を取り得る。液体組成物は、固体を含んでいてもよい。固体は、マイクロカプセル、ビーズ、ヌードル、若しくは１つ以上の真珠色のボール、又はこれらの混合物などの、粉末又は凝集物を含み得る。このような固体要素は、洗浄を通して、又は前処理、遅延、若しくは順次放出成分として技術的利点をもたらし得る。追加的又は代替的に、固体要素は、審美的効果を提供し得る。
【０１１３】
いくつかの態様では、組成物は、以下の成分の非限定的リスト、すなわち、乳白剤、酸化防止剤、布地ケア有益剤、洗浄酵素、沈着助剤、レオロジー変性剤、ビルダー、漂白剤（bleaching agent）、漂白剤前駆体、漂白触媒、キレート剤、香料、白色剤、パールエッセンス剤酵素安定剤系、アニオン性染料の固着剤を含む除去剤、アニオン性界面活性剤の錯化剤、及びこれらの混合物、任意の漂白剤又は蛍光剤、汚れ除去ポリマー、分散剤、抑泡剤、染料、着色剤、トルエンスルホネート、キュメンスルホネート、及びナフタレンスルホネートなどのヒドロトロープ、カラー粒子、着色ビーズ、球体、又は押出物、粘土質柔軟化剤、腐食防止剤及び／又は変色防止剤、すすぎ補助剤のうちの１種類以上を含んでもよい。付加的又は代替的に、組成物は、界面活性剤及び／又は溶媒系を含有してもよい。
【０１１４】
組成物は、自由流動性の粒状又は粉末状の組成物など、すくい取られ得る流動性組成物であってもよい。そのような場合、容器システム１００は、容器システム１００に適合するように、またすくい取り可能な組成物をすくい取るように適合されたすくいを更に備えてもよい。
【０１１５】
本明細書に記載される容器システム１００は、物品の形態をなす組成物を収容するのに特に有用である。図２０は、単位用量物品６００の例を示す。物品６００は、成人の手によって把持されるのに好適となり得る。そのような物品６００は、約１０ｍｍ〜約１００ｍｍ、又は約２０ｍｍ〜約７０ｍｍ、又は約３５ｍｍ〜約５５ｍｍ、又は約４０ｍｍ〜約５０ｍｍの物品幅６０２を有し得る。物品６００が矩形の形状である場合、物品幅６０２は、２つの平行な辺の間の最大距離として測定される。物品６００が可変幅を有する場合、物品幅６０２はそのような幅の平均値である。そのような物品６００は、約１０ｍｍ〜約１００ｍｍ、又は約１５ｍｍ〜約７０ｍｍ、又は約２０ｍｍ〜約５０ｍｍ、又は約２５ｍｍ〜約３５ｍｍの高さ６０４を有し得る。物品６００が可変高さを有するとき、物品高さ６０４は物品の最大高さで測定される。
【０１１６】
通常、本明細書に記載される容器システム１００は、典型的には洗浄組成物、より典型的には洗濯洗剤又は硬質表面処理組成物の単位用量の組成物の（例えば、１５、２５、５０、６６、７７などの数量の）物品６００を収容するのに有用である。単位用量の物品６００はパウチであってもよい。パウチは、モノソル社（MonoSol，ＬＬＣ）から入手可能なものを含めて、ポリビニルアルコールフィルムなどの水溶性フィルム６２０から形成されてもよい。フィルム６２０は、組成物をコンパートメントに封入してもよい。パウチは単一のコンパートメントを備えてもよく、あるいは複数のコンパートメント６３０、６４０、６５０を備えてもよい。
【０１１７】
パウチは、パウチの外部から視認され得る多様な色を有し得る様々な組成物を収容してもよい。多区画パウチは、それぞれ個々の区画に同じ又は異なる組成物を収容することができる。コンパートメントは、並んでいても又は重なり合ってもよく、例えば、１つ又は２つのより小さなコンパートメント６４０、６５０が１つのより大きなコンパートメント６３０に重ね合わされてもよい。この多区画機構は、不適合な成分（例えば、漂白剤と酵素）を含有する組成物を互いから物理的に分離し、又は仕切って保持するのに用いることができる。このような仕切りは、このような成分の耐用年数を延ばし、及び／又は物理的不安定性を低減できると考えられる。
【０１１８】
単位用量物品６００の組成物は、典型的には、低濃度の水を有する。いくつかの態様では、組成物６００は、組成物６００の約５０重量％未満、又は約３０重量％未満、又は約２０重量％未満、又は約１５重量％未満、又は約１２重量％未満、又は約１０重量％未満、又は約８重量％未満、又は５重量％未満、又は２重量％未満の水を含む。いくつかの態様において、組成物６００は、組成物６００の約０．１重量％〜約２０重量％、又は約１重量％〜約重量１２％、又は約５重量％〜約１０重量％の水を含む。
【０１１９】
クロージャシステム
本開示は、クロージャシステム１１０に関する。図２１は、本開示によるクロージャシステム１１０の例を示す。本開示によるクロージャシステム１１０の使用により、製造業者は、容器２００の製造及び保管をクロージャシステム１１０の製造及び保管と分離することが可能となり得る。製造業者はまた、いくつかの異なるサイズ又は形状の容器２００に対して本開示によるクロージャシステム１１０を使用して、包装の簡素化を達成することもできる。
【０１２０】
クロージャシステム１１０は、フレーム３００にヒンジにより連結された蓋１０４を備えてもよい。フレーム３００は、容器の開放端部に連結可能となるように構成されてもよい。この蓋は、第１の部分４００と第２の部分５００とを備えてもよい。第１の部分４００はダイアルの形態をなしてもよい。第２の部分５００はカバーの形態をなしてもよい。第１の部分４００は、第２の部分５００に非一体的に連結されてもよい。第１の部分４００を第１の位置から第２の位置へと移動させることにより、蓋１０４をフレーム３００に対して閉鎖位置から開放位置へ移動させることが可能である。
【０１２１】
上記のフレーム３００、第１の部分４００、及び第２の部分５００は、本開示によるクロージャシステム１１０における使用に好適となり得るものであり、また、容器システム１００に関して本明細書で提示される詳細は、本開示のクロージャシステム１１０にも概ね等しく当てはまる。
【０１２２】
本開示はまた、クロージャシステム１００を含む容器システム１００にも関する。例えば、本開示は、貯蔵容量部２１０へのアクセスを提供する開口部２４０を有する容器２００を含んだ容器システム１００、及びクロージャシステム１００に関する。クロージャシステム１１０は、カバー５００を、また任意選択によりフレームを含んでもよく、カバー５００は、容器２００又は任意選択のフレーム３００にヒンジにより連結され、貯蔵容量部２１０へのアクセスを阻止する閉鎖位置及び貯蔵容量部２１０へのアクセスを可能にする開放位置から移動可能である。クロージャシステム１１０はまた、カバー５００に回転可能に連結されたダイアル４００を含んでもよく、そのダイアル４００は少なくとも１つのプッシュパッド４１０、４１１を有する。ダイアル４００はまた、容器２００又は任意選択のフレーム３００と着脱可能に係合可能な少なくとも１つの係合構造体４５０を含んでもよく、この係合構造体４５０は、容器２００又は任意選択のフレーム４００と係合されたとき、カバー５００が閉鎖位置から開放位置に移動することを防止する。プッシュパッド４１０、４１１を押下することにより、ダイアル４００はカバー５００に対して回転し、それによって係合構造体４５０を容器２００又は任意選択のフレーム３００から係合解除して、カバー５００を開放位置に移動可能にすることが可能である。ダイアル４００は、２つのプッシュパッド４１０、４１１を含んでもよい。容器２００は、消費者製品、好ましくは家庭用ケア製品、好ましくは洗浄組成物、より好ましくは単位用量物品６００の形態をなす洗浄組成物を収容してもよい。
【０１２３】
蓋
本開示は、蓋１０４に関する。本開示の蓋１０４は、上述のように、第１の部分４００（例えば、ダイアル）と第２の部分５００（例えば、カバー）とを含んでもよい。本開示の蓋１０４は、上述のように、フレーム３００又は容器本体２００に連結可能であってもよい。
【０１２４】
アレイ
本開示は、容器システムの配列に関する。図２２に示すように、この配列は、第１の容器システム１００と、第２の容器システム１５０とを含んでもよく、各容器システム１００、１５０は、容器本体２００、１５１と、クロージャシステム１１０、１５２とを含む。本明細書で記載されるようなフレーム及び／又は蓋を含み得る、第１の容器システム１００のクロージャシステム１１０は、第２の容器システム１５０のクロージャシステム１５２と同じであってもよい。
【０１２５】
第１の容器システム１００の本体２００は、第２の容器システム１５０の本体１５１と比較して異なるサイズ（例えば、容積）及び／又は形状のものであってもよい。第１及び第２の容器システム２００、１５１の本体は、何らかの形式で異なっていてもよいが、本体開口部は同様又は実質的に同様であってもよく、これにより、単一のタイプのクロージャシステム１１０の使用が促進され得る。換言すれば、同じクロージャシステム（例えば、フレーム及び蓋）が、異なる特性を有する複数の容器本体上で使用されてもよい。
【０１２６】
第１の容器システム１００の本体２００は、第２の容器システム１５０の本体１５１と同じであってもよい。第２の容器システム１５０は、第１の容器システム１００上に積み重ねられてもよい。第１の容器システムの蓋の上壁は、第２の容器システムの本体の底壁を受容するようにサイズ決め及び構成されてもよい。本体は、クロージャシステムが取り付けられていないときに、もう一方に入れ子にされてもよい。
【０１２７】
プロセス
本開示は、容器システムに充填するためのプロセスに関する。このプロセスは、以下の工程、すなわち、容器本体２００が貯蔵容量部２１０を含む本体２００を設ける工程と、材料を貯蔵容量部２１０に供給する工程と、クロージャシステム１１０を本体２００に設ける工程であって、クロージャシステムは、フレーム３００にヒンジにより連結された蓋１０４を含む、工程と、を含み得る。フレーム３００は、容器本体の開放端部に連結可能となるように構成されてもよい。この蓋は、第１の部分４００と第２の部分５００とを備えてもよい。第１の部分４００はダイアルの形態をなしてもよい。第２の部分５００はカバーの形態をなしてもよい。第１の部分４００は、第２の部分５００に非一体的に連結されてもよい。第１の部分を第１の位置から第２の位置へと移動させることにより、蓋１０４をフレーム３００に対して閉鎖位置から開放位置へ移動させることが可能である。クロージャシステム１１０は、蓋１０４が閉鎖位置にある状態で本体２００に設けられてもよい。クロージャシステム１１０は、蓋１０４が開放位置にある状態で本体２００に設けられてもよく、蓋１０４は次いで、閉鎖位置に移動される。
【０１２８】
本開示は、クロージャシステム１１０を作製するためのプロセスに関する。このプロセスは次の工程、すなわち、上述のように第１の部分４００（例えば、ダイアル）を設ける工程と、上述のように第２の部分５００（例えば、カバー）を設ける工程と、第１の部分４００と第２の部分５００とを互いに連結する工程と、を含み得る。このプロセスは、フレーム３００を設ける工程を更に含んでもよい。フレーム３００は、第２の部分５００にヒンジにより連結されてもよい。フレーム３００と第２の部分５００は、例えば、単一の部品として成形されることによって、単一の部品として設けられてもよい。このプロセスは、第２の部分５００を閉鎖位置から開放位置に付勢する付勢手段１３０を設ける工程を更に含んでもよい。付勢手段は、当業者に知られているインサート成形技術（例えば、バイインジェクション成形）によってフレーム３００及び／又は第２の部分５００と共に形成され得る、熱可塑性エラストマインサートなどの弾性インサート１３２であってもよい。フレーム３００及び第２の部分５００は、開放位置に設けられ、次いで閉鎖位置に移動されてもよい。
【０１２９】
本開示は、容器システム１００をケースに装填する方法に関する。本開示による複数の容器システム１００、１５０が提供される。第１の容器システム１００が箱に移送され、第２の容器システム１５０が箱に移送される。第１及び第２の容器システム１００、１５０は、ロボットによって移送されてもよい。ロボットは、１つ以上のアームを有してもよい。アームは、容器の形状に適合するように構成されてもよい。ロボットは、容器システムを持ち上げてもよい。容器システム１００を持ち上げるとき、ロボットは容器本体２００の側壁を把持してもよい。容器システム１００を持ち上げるとき、ロボットのアームは、容器本体２００のリム２３２の近くのレッジの下に配置され、持ち上げ、レッジと接触してもよい。ロボットのアームは、側壁２２２、２２３の凹部分に配置されてもよい。凹状の形状により、レッジはより深い寸法を有し、そのため、ロボットアームによって持ち上げられるより大きな表面を設けることになり得る。
【０１３０】
本開示は、容器システム１００にアクセスするためのプロセスに関する。このプロセスは次の工程、すなわち、本開示による容器システム１００を設ける工程と、蓋１０４の第１の部分４００（例えば、ダイアル）を蓋１０４の第２の部分５００（例えば、カバー）に対して第１の位置から第２の位置へ移動させる工程と、容器本体２００の貯蔵容量部２１０へのアクセスを可能にするために、蓋１０４を閉鎖位置から開放位置へ移動させる工程と、を含み得る。このプロセスは、第１の部分４００のプッシュパッド４１０、４１１を径方向内向きに押圧する工程、及び／又は第１の部分４００を第２の部分５００に対して回転させる工程を含んでもよい。容器システム１００は、任意選択的に付勢手段１０４が第１の開放の際に作動した後に、蓋１０４を閉鎖位置から開放位置へ自動的に持ち上げる付勢手段１３０を含んでもよい。このプロセスは、貯蔵容量部２１０から単位用量物品６００などの少なくともいくつかの材料を除去する工程を含んでもよい。このプロセスは、開放位置から閉鎖位置へと移動させることによって蓋１０４を再閉鎖する工程を含んでもよい。容器システム１００は、蓋１０４が適切に閉鎖位置にあるときに信号（例えば、「クリック」などの可聴信号）を供給してもよい。
【０１３１】
組み合わせ
本開示の具体的に想到される組み合わせを、ここで以下のアルファベットを付した段落に記載する。これらの組み合わせは、事実上例示的なものであり、制限的であることを意図したものではない。
【０１３２】
Ａ．容器システムであって、貯蔵容量部へのアクセスをもたらす開口部を有する容器と、容器にヒンジにより連結された蓋であって、蓋が開口部を被覆する閉鎖位置と、蓋が開口部を被覆しない開放位置とを有し、蓋は第１の部分と第２の部分とを有し、第１の部分は第２の部分に非一体的に連結され、第１の部分を第１の位置から第２の位置に移動させることにより、蓋を閉鎖位置から開放位置へ移動させることが可能である、蓋と、を備える、容器システム。
Ｂ．容器は、本体と、本体に連結可能であるフレームとを備える、段落Ａに記載の容器システム。
Ｃ．蓋はフレームにヒンジにより連結される、段落Ｂに記載の容器システム。
Ｄ．第２の部分は、外向きの外表面と、その外表面の反対側の内表面とを有する上壁を含み、第１の部分は第２の部分の内表面に面する、段落Ａ〜Ｃのいずれかに記載の容器システム。
Ｅ．第１の部分は、第２の部分よりも小さい周辺部を有する、段落Ａ〜Ｄのいずれかに記載の容器システム。
Ｆ．第１の部分は、プッシュパッド、好ましくは２つのプッシュパッドを備える、段落Ａ〜Ｅのいずれかに記載の容器システム。
Ｇ．プッシュパッドは、押圧されると、中心軸に向かって径方向内向きに移動可能である、段落Ｆに記載の容器システム。
Ｈ．第２の部分は、少なくとも１つのプッシュパッドがそれを通じてアクセス可能となる少なくとも１つのアパーチャを備える、段落Ａ〜Ｇのいずれかに記載の容器システム。
Ｉ．第１の部分は、第２の部分に対して回転可能である、段落Ａ〜Ｈのいずれかに記載の容器システム。
Ｊ．第１の部分は、第１の部分上の少なくとも１つのプッシュパッドが押圧されるまで、第２の部分に対して回転することを防止される、段落Ａ〜Ｉのいずれかに記載の容器システム。
Ｋ．第２の部分は、プッシュパッドが押圧されるまで第１の部分の回転を防止する突出部を含む、段落Ａ〜Ｊのいずれかに記載の容器システム。
Ｌ．蓋は、第１の部分が第２の位置への移動後に第１の位置に自動的に復帰するように構成される、段落Ａ〜Ｋのいずれかに記載の容器システム。
Ｍ．第１の部分、第２の部分、又は両方が、第２の位置への移動後に第１の部分を第１の位置に復帰させる付勢構造体を備える、段落Ｌに記載の容器システム。
Ｎ．第１の部分が付勢構造体を備える、段落Ｍに記載の容器システム。
Ｏ．付勢構造体はばねシステムを備える、段落Ｍに記載の容器システム。
Ｐ．蓋は第１の係合部材を備え、容器は、蓋が閉鎖位置にあるときに第１の係合部材と係止可能に係合する第２の係合部材を備え、第１の部分を第１の位置から第２の位置に移動させることにより、係合部材を係合解除させることが可能である、段落Ａ〜Ｏのいずれかに記載の容器システム。
Ｑ．第１の部分は、第１の係合部材を備え、好ましくは一体的に備える、段落Ａ〜Ｐのいずれかに記載の容器システム。
Ｒ．第１の係合部材はラッチであり、第２の係合部材はキャッチである、段落Ａ〜Ｑのいずれかに記載の容器システム。
Ｓ．クロージャシステムは、第１の係合部材と第２の係合部材とが係合されていないときに蓋が開放位置に押しやられるように、蓋を開放位置に付勢する付勢手段を含む、段落Ａ〜Ｒのいずれかに記載の容器システム。
Ｔ．クロージャシステムが、蓋を開放位置に付勢する付勢手段を含む、段落Ａ〜Ｓのいずれかに記載の容器システム。
Ｕ．付勢手段は熱可塑性エラストマーである、段落Ａ〜Ｔのいずれかに記載の容器システム。
Ｖ．開放位置は事前に決定され、開放位置と比較した、閉鎖位置にある蓋の相対位置によって形成される角度θは、約９０°〜約１５０°、又は約１１０°〜約１３５°である、段落Ａ〜Ｕのいずれかに記載の容器システム。
Ｗ．容器は、消費者製品、好ましくは家庭用ケア製品、好ましくは洗浄組成物、より好ましくは、単位用量物品の形態をなす洗浄組成物を収容する、段落Ａ〜Ｖのいずれかに記載の容器システム。
Ｘ．貯蔵容量部へのアクセスをもたらす開口部を有する容器と、クロージャシステムであって、カバーと、任意選択のフレームとを備え、カバーは、容器又は任意選択のフレームにヒンジにより連結され、貯蔵容量部へのアクセスを妨げる閉鎖位置から、貯蔵容量部へのアクセスを可能にする開放位置へと移動可能である、クロージャシステムと、を備える容器システムであって、ダイアルがカバーに回転可能に連結され、ダイアルは少なくとも１つのプッシュパッドを有し、ダイアルは、容器又は任意選択のフレームと着脱可能に係合可能な少なくとも１つの係合構造体を有し、係合構造体は、容器又は任意選択のフレームと係合されると、蓋が閉鎖位置から開放位置に移動するのを防止し、プッシュパッドを押圧することにより、ダイアルをカバーに対して回転させ、それによって係合構造体を容器又は任意選択のフレームから係合解除して、カバーを開放位置に移動可能にすることが可能である、容器システム。
Ｙ．ダイアルは２つのプッシュパッドを備える、段落Ｘに記載の容器システム。
Ｚ．容器は、消費者製品、好ましくは家庭用ケア製品、好ましくは洗浄組成物、より好ましくは単位用量物品の形態をなす洗浄組成物を収容する、段落Ｘ〜Ｙのいずれかに記載の容器システム。
ＡＡ．フレームにヒンジにより連結された蓋を備えるクロージャシステムであって、フレームは、容器の開放端部に連結可能となるように構成され、蓋は第１の部分と第２の部分とを備え、第１の部分は第２の部分に非一体的に連結され、第１の部分を第１の位置から第２の位置に移動させることにより、蓋をフレームに対して閉鎖位置から開放位置へ移動させることが可能である、クロージャシステム。
ＡＢ．容器システムに材料を充填するプロセスであって、次の工程、すなわち、容器本体を設ける工程であって、本体は貯蔵容量部を含む、工程と、材料を貯蔵容量部に供給する工程と、本体にクロージャシステムを設ける工程であって、クロージャシステムは、フレームにヒンジにより連結された蓋を含み、フレームは、容器本体の開放端部に連結可能であり、蓋は、第１の部分と第２の部分とを備え、第１の部分は、第２の部分に非一体的に連結され、第１の部分を第１の位置から第２の位置に移動させることにより、蓋をフレームに対して閉鎖位置から開放位置へ移動させることが可能である、工程と、を含む、プロセス。
ＡＣ．クロージャシステムを作製するプロセスであって、次の工程、すなわち、カバー及びフレームを設ける工程であって、カバーはフレームにヒンジにより連結される、工程と、クロージャシステムを形成するために、回転可能なダイアルをカバーに連結する工程と、を含む、プロセス。
ＡＤ．フレームと第２の部分とが単一の部品として成形される、段落ＡＣに記載のクロージャシステムを作製する、プロセス。
ＡＥ．プロセスは、カバーの第２部分をフレームに対して閉鎖位置から開放位置に付勢する付勢手段を設ける工程を更に含む、段落ＡＣ〜ＡＤのいずれかに記載のクロージャシステムを作製するプロセス。
ＡＦ．付勢手段は、インサート成形によってカバー及びフレームに設けられる弾性インサートである、段落ＡＥに記載のクロージャシステムを作製するプロセス。
ＡＧ．容器システムにアクセスするプロセスであって、次の工程、すなわち、段落Ａ〜Ｚのいずれかに記載の容器システムを設ける工程と、蓋の第１の部分を第２の部分に対して第１の位置から第２の位置に移動させる工程と、蓋を閉鎖位置から開放位置に移動させる工程と、少なくともいくつかの材料を貯蔵容量部から除去する工程と、蓋を開放位置から閉鎖位置に移動させることによって、容器システムを閉鎖する工程と、を含む、プロセス。
ＡＨ．容器システムは、蓋が開放位置から閉鎖位置に適切に移動されたときに、信号、好ましくは可聴信号を供給する、段落ＡＧに記載の容器システムにアクセスするプロセス。
【０１３３】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【０１３４】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１３５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019534215.tif 000003
【図２】
2019534215.tif 000004
【図３】
2019534215.tif 000005
【図４】
2019534215.tif 000006
【図５】
2019534215.tif 000007
【図６】
2019534215.tif 000008
【図７】
2019534215.tif 000009
【図８】
2019534215.tif 000010
【図９】
2019534215.tif 000011
【図１０】
2019534215.tif 000012
【図１１】
2019534215.tif 000013
【図１２】
2019534215.tif 000014
【図１３】
2019534215.tif 000015
【図１４】
2019534215.tif 000016
【図１５】
2019534215.tif 000017
【図１６】
2019534215.tif 000018
【図１７】
2019534215.tif 000019
【図１８】
2019534215.tif 000020
【図１９】
2019534215.tif 000021
【図２０】
2019534215.tif 000022
【図２１】
2019534215.tif 000023
【図２２】
2019534215.tif 000024
【国際調査報告】
2019534215.tif 000025
2019534215.tif 000026
2019534215.tif 000027